(57)【特許請求の範囲】
【請求項１】
紙製ブランク材を折り畳んで成形され、互いに重なり合う一対の端縁を貼り合わせてなる背シール部を有する紙製容器において、
紙製ブランクは、前板と、
一対の背板と、
前板と一対の背板との間に設けられた一対の側板と、
一対の側板から延びる一対の三角状折込片と、
前板および一対の背板から延びる３個の蓋板と、
３個の蓋板に連結され互いに接着される３個の接着片と、
各背板に設けられた背シール部とを備え、
各接着片を接着して上方シール部が形成され、
前板の下端部と一対の背板の下端部を接着して下方シール部が形成され、
上方シール部は、通路を有する内側シール部と、内側シール部に細幅部を介して連結された外側シール部とを有し、外側シール部は細幅部を介して内側シール部から破断可能となっていることを特徴とする紙製容器。
【請求項２】
背シール部は、背板から立ち上がって垂直方向に延び、平板状下方部とともに紙製容器の支持体を構成することを特徴とする請求項１記載の紙製容器。
【請求項３】
請求項１記載の紙製容器が一対設けられ、各々の紙製容器のゲーベルトップ型上方部同士、各々の紙製容器の平板型下方部同士、または一方の紙製容器のゲーベルトップ型上方部と他方の紙製容器の平板状下方部とを連結してなる紙製容器組合体。
【発明の詳細な説明】
【技術分野】
【０００１】
本発明は紙製容器および紙製容器組合体に係り、とりわけ内容物の排出を容易に行うことができる紙製容器および紙製容器組合体に関する。
【背景技術】
【０００２】
従来より液体内容物を収納するものとして、ポリエチレン等の熱可塑性樹脂をラミネートした紙製ブランクを成形してなるゲーベルトップ型紙製容器が用いられている。
【０００３】
このようなゲーベルトップ型紙製容器は、前板と、背板と、一対の側板と、密閉されたゲーベルトップ型上方部と、密閉されるとともに、前板、背板および一対の側板に対して直交する底板とを備えている（特許文献１および２参照）。
【０００４】
ゲーベルトップ型紙製容器内の内容物を排出する場合は、ゲーベルトップ型上方部を破断するか、またはゲーベルトップ型上方部に設けられた開口から内容物を外方へ排出している。
【先行技術文献】
【特許文献】
【０００５】
【特許文献１】特開２００８−１００５００号公報
【特許文献２】実開平６−１２１９号公報
【発明の概要】
【発明が解決しようとする課題】
【０００６】
上述のようにゲーベルトップ型紙製容器から内容物を排出する場合、ゲーベルトップ型上方部から内容物を排出している。しかしながら、一般に底板は、前板、背板および一対の側板に対して直交しているため、内容物が粘性をもつ場合、底板を押し潰して内容物を押し出したり搾り出すことがむずかしい。
【０００７】
本発明はこのような点を考慮してなされたものであり、内容物が粘性をもつ液体内容物であっても、底部側を押し潰して内容物を容易かつ確実にゲーベルトップ型上方部から排出することができる紙製容器および紙製容器組合体を提供することを目的とする。
【課題を解決するための手段】
【０００８】
本発明は、紙製ブランク材を折り畳んで成形され、互いに重なり合う一対の端縁を貼り合わせてなる背シール部を有する紙製容器において、紙製ブランクは、前板と、一対の背板と、前板と一対の背板との間に設けられた一対の側板と、一対の側板から延びる一対の三角状折込片と、前板および一対の背板から延びる３個の蓋板と、３個の蓋板に連結され互いに接着される３個の接着片と、各背板に設けられた背シール部とを備え、各接着片を接着して上方シール部が形成され、前板の下端部と一対の背板の下端部を接着して下方シール部が形成され、上方シール部は、通路を有する内側シール部と、内側シール部に細幅部を介して連結された外側シール部とを有し、外側シール部は細幅部を介して内側シール部から破断可能となっていることを特徴とする紙製容器である。
【００１０】
本発明は、背シール部は、背板から立ち上がって垂直方向に延び、平板状下方部とともに紙製容器の支持体を構成することを特徴とする紙製容器である。
【００１１】
本発明は、上記記載の紙製容器が一対設けられ、各々の紙製容器のゲーベルトップ型上方部同士、各々の紙製容器の平板型下方部同士、または一方の紙製容器のゲーベルトップ型上方部と他方の紙製容器の平板状下方部とを連結してなる紙製容器組合体である。
【発明の効果】
【００１２】
以上のように本発明によれば、紙製容器内の内容物を比較的内部空間の大きなゲーベルトップ型上方部から外方へ排出することができる。また紙製容器の下方部は前板の下端部と背板の下端部を接着してなる下方シール部からなっているため、この下方シール部を押圧することにより、内容物を容易かつ確実に押し出したり搾り出して外方へ排出することができる。
【図面の簡単な説明】
【００１３】
【図１】図１（ａ）は紙製容器の第１の実施の形態を示す一方からみた斜視図、図１（ｂ）は紙製容器を示す他方からみた斜視図、図１（ｃ）は紙製容器の側面図。
【図２】図２は紙製容器の紙製ブランク材を示す図。
【図３】図３（ａ）は紙製容器の第２の実施の形態を示す一方からみた斜視図、図３（ｂ）は紙製容器を示す他方からみた斜視図、図３（ｃ）は紙製容器の側面図。
【図４】図４は紙製容器の紙製ブランク材を示す図。
【図５】図５は紙製容器の変形例を示す図。
【図６】図６は紙製容器の他の変形例を示す図。
【図７】図７は紙製容器の製造装置を示す図。
【発明を実施するための形態】
【００１４】
第１の実施の形態
以下、図面を参照して本発明の実施の形態について説明する。
【００１５】
図１（ａ）（ｂ）（ｃ）乃至図２および図７は本発明の第１の実施の形態を示す図である。
【００１６】
まず図１（ａ）（ｂ）（ｃ）および図２により、紙製容器の概略について説明する。図１（ａ）（ｂ）（ｃ）および図２に示すように、紙製容器１０は紙製ブランク材１０Ａを折り畳んで成形され、ブランク材１０Ａの互いに重なり合う一対の端縁を貼り合わせることにより背シール部１４が形成される。この場合、符号１４はブランク材１０Ａの一対の端縁も示す。このような紙製容器１０は液体内容物、とくに粘性をもった液体内容物を収納するものであり、前板１１と、背板１２と、前板１１および背板１２に連結された一対の側板１３，１３と、密閉され比較的内部空間が大きいゲーベルトップ型上方部２０ａと、密閉された平板状下方部２６ａとを備えている。
【００１７】
このうち、ゲーベルトップ型上方部２０ａは、一対の側板１３，１３から延びる一対の三角状折込片１７，１７と、前板１１および背板１２から延びる一対の蓋板１５，１５と、一対の蓋板１５，１５に連結され互いに接着される一対の接着片からなる上方シール部２０とを有している。
【００１８】
このうち、上方シール部２０は、図１（ａ）（ｂ）（ｃ）に示すように、通路２５を有する内側シール部２１と、内側シール部２１に細幅部２３を介して連結された外側シール部２２とを有し、外側シール部２２を内側シール部２１から細幅部２３を介して破断することができる。そして外側シール部２２を内側シール部２１から破断することにより、内側シール部２１の通路２５を外方へ露出させて、紙製容器１０内の内容物を通路２５から外方へ排出することができる。
【００１９】
また内側シール部２１は、図２に示すように、ブランク材１０Ａの一対の蓋板１５，１５から延びる一対の接着片２１ａ，２１ａを接着することにより形成され、外側シール部２２はブランク材１０Ａの一対の接着片２１ａ，２１ａに連結された一対の接着片２２ａ，２２ａを接着することにより形成される。
【００２０】
このように、上方シール部２０は、一方の接着片２１ａ，２２ａと、他方の接着片２１ａ，２２ａとを互いに積ね合わせて接着することにより得られる。
【００２１】
また平板状下方部２６ａは、図２に示すように前板１１の下端部１１ａと、背板１２の下端部１２ａを接着してなる下方シール部２６を有している。このように下方シール部２６は前板１１の下端部１１ａと背板１２の下端部１２ａを接着することにより形成されるため、下方シール部２６を形成することによって、一対の側板１３，１３は上方に底辺をもち下方に頂角をもつ略三角形状となっている。
【００２２】
また背シール部１４は、背面１２上に背面１２側へ折り畳んで設けられている。
【００２３】
次にこのような構成からなる本実施の形態の作用について説明する。
【００２４】
まず紙製容器の製造装置を示す図７により紙製容器１０の製造方法について述べる。
【００２５】
図７に示すように、紙製ブランク材１０Ａを多数連結してなる帯状の紙製ブランク材用フィルム１０Ｂを準備する。
【００２６】
この紙製ブランク材用フィルム１０Ｂとしては、例えば以下のような層構成のフィルムが考えられる
（１）ＰＥ（２０μｍ）／紙（８０又は１１０ｇ／ｍ２）／ＰＥ（２０μｍ）／
Ａｌ（６μｍ）／ＰＥ（４０μｍ）
（２）ＰＥ（２０μｍ）／紙（８０又は１１０ｇ／ｍ２）／ＰＥ（２０μｍ）／
蒸着ＰＥＴ（１２μｍ）／ＰＥ（４０μｍ）
【００２７】
次にこのような紙製ブランク材用フィルム１０Ｂから巻取体３１を形成し、この巻取体３１から紙製ブランク材用フィルム１０Ｂを繰り出す。
【００２８】
次に巻取体３１から繰り出された紙製ブランク材用フィルム１０Ｂを走行させ、アジャストロール３２を通して罫線ロール３３に送り、この罫線ロール３３において紙製ブランク材用フィルム１０Ｂに対して罫線を入れる。
【００２９】
その後紙製ブランク材用フィルム１０Ｂが成形機３５に送られ、成形機３５において紙製ブランク材用フィルム１０Ｂを構成する個々の紙製ブランク１０Ａが成形され、紙製容器１０が得られる。
【００３０】
次に紙製容器１０のうち、走行方向に延び互いに重なり合う一対の端縁が背シール装置３６によりヒートシールによって貼り合わされて背シール部１４が形成される。次に紙製容器１０の前板１１の下端部１１ａと背板１２の下端部１２ａが、第１横シール装置３７ａによりヒートシールによって貼り合わされて下方シール部２６が形成される。
【００３１】
次に下方シール部２６が形成された紙製容器１０内にホッパ３４から内容物（図示せず）が充てんされる。次に第１横シール装置３７ａが側方へ退避し、その後紙製容器１０は下方へ若干降下する。次に第１横シール装置３７ａの代わりに第２横シール装置３７ｂが紙製容器１０側に前進し、紙製容器１０の一対の蓋板１５，１５に連結された一対の接着片２１ａ，２２ａおよび２１ａ，２２ａが、この第２横シール装置３７ｂによりヒートシールによって貼り合わさせて上方シール部２０が形成される。
【００３２】
次に連続する紙製容器１０をカッタ装置３８により切断することにより、個々の紙製容器１０が作製される。
【００３３】
このようにして内部に内容物が充てんされた紙製容器１０が得られる。
【００３４】
紙製容器１０の使用にあたっては、まず紙製容器１０の上方シール部２０のうち外側シール部２２を、細幅部２３を介して内側シール部２１から破断する。このとき、内側シール部２１に設けられた通路２５が外方へ露出するため、紙製容器１０内の内容物を内部空間が比較的大きなゲーベルトップ型上部２０ａから通路２５を経て外方へ排出することができる。
【００３５】
なお、紙製容器１０内の内容物は粘性をもった液体内容物、例えばケチャップ、ソース、マヨネーズ等からなるため、内容物の残量が少なくなった場合、内容物を押し出したり搾り出す必要が出てくる。
【００３６】
上述のように、紙製容器１０の下方部は、前板１１の下端部１１ａと、背板１２の下端部１２ａを接着してなる下方シール部２６からなり、各側板１３，１３は上方に底辺を有し下方に頂点をもつ三角形状となっているので、この紙製容器１０の下方シール部２６を押圧することにより、紙製容器１０内の内容物を容易かつ簡単に内側シール部２１の通路２５から押し出したり搾り出して外方へ排出することができる。
【００３７】
第２の実施の形態
図３（ａ）（ｂ）（ｃ）乃至図４は本発明の第２の実施の形態を示す図である。
【００３８】
まず図３（ａ）（ｂ）（ｃ）および図４により、紙製容器の概略について説明する。図３（ａ）（ｂ）（ｃ）および図４に示すように、紙製容器１０は紙製ブランク材１０Ａを折り畳んで成形され、ブランク材１０Ａの互いに重なり合う一対の端縁を貼り合わせることにより背シール部１４が形成される。このような紙製容器１０は液体内容物、とくに粘性をもった液体内容物を収納するものであり、前板１１と、背板１２と、前板１１および背板１２に連結された一対の側板１３，１３と、密閉され比較的内部空間が大きいゲーベルトップ型上方部２０ａと、密閉された平板状下方部２６ａとを備えている。
【００３９】
このうち、ゲーベルトップ型上方部２０ａは、一対の側板１３，１３から延びる一対の三角状折込片１７，１７と、前板１１および背板１２から延びる一対の蓋板１５，１５と、一対の蓋板１５，１５に連結され互いに接着される一対の接着片からなる上方シール部２０とを有している。
【００４０】
このうち、上方シール部２０は、図３（ａ）（ｂ）（ｃ）に示すように、通路２５を有する内側シール部２１と、内側シール部２１に細幅部２３を介して連結された外側シール部２２とを有し、外側シール部２２を内側シール部２１から細幅部２３を介して破断することができる。そして外側シール部２２を内側シール部２１から破断することにより、内側シール部２１の通路２５を外方へ露出させて、紙製容器１０内の内容物を通路２５から外方へ排出することができる。
【００４１】
また内側シール部２１は、図４に示すように、ブランク材１０Ａの一対の蓋板１５，１５から延びる一対の接着片２１ａ，２１ａを接着することにより形成され、外側シール部２２はブランク材１０Ａの一対の接着片２１ａ，２１ａに連結された一対の接着片２２ａ，２２ａを接着することにより形成される。
【００４２】
このように、上方シール部２０は、一方の接着片２１ａ，２２ａと、他方の接着片２１ａ，２２ａとを互いに積ね合わせて接着することにより得られる。
【００４３】
また平板状下方部２６ａは、図４に示すように前板１１の下端部１１ａと、背板１２の下端部１２ａを接着してなる下方シール部２６を有している。このように下方シール部２６は前板１１の下端部１１ａと背板１２の下端部１２ａを接着することにより形成されるため、下方シール部２６を形成することによって、一対の側板１３，１３は上方に底辺をもち下方に頂角をもつ略三角形状となっている。
【００４４】
ところで、背シール部１４は背板１２から立ち上がって形成され、背板１２上において垂直方向に延びている。
【００４５】
また背シール部１４は、下方部１４ａにおいてスカート状に拡がっており、このため背シール部１４の下方部１４ａはその幅が拡張している。
【００４６】
図３（ａ）（ｂ）（ｃ）および図４に示すように、背シール部１４はその下方部１４ａにおいて、平板状下方部２６ａとともに紙製容器１０を支持する支持体として機能する。
【００４７】
変形例
次に図５および図６により本発明の変形例について説明する。
【００４８】
上述した各実施の形態において、ゲーベルトップ型上方部２０ａが上方シール部２０を有し、この上方シール部２０が内側シール部２１と、外側シール部２２とを有する例を示したが、これに限らず上方シール部２０を単一の一体型シール部から構成してもよい。この場合は、上方シール部２０をカッターによって破断することにより、破断部から内容物を排出することができる。
【００４９】
また図６に示すように、一対の紙製容器１０，１０を、互いの上方シール部２０，２０において連結することにより、紙製容器組合体１を構成してもよい。
【００５０】
図６において、一方の紙製容器１０内に第１内容物（例えばケチャップ）を収納し、他方の紙製容器１０内に第２内容物（例えばソース）を収納することにより、複数の異なる内容物を収納した紙製容器組合体１を得ることができる。
【００５１】
この場合、一方の紙製容器１０と他方の紙製容器１０を互いの下方シール部２６において連結することもできる。また一方の紙製容器１０の上方シール部２０と、他方の紙製容器１０の下方シール部２６とを連結してもよい。
【符号の説明】
【００５２】
１  紙製容器組合体
１０  紙製容器
１１  前板
１１ａ  下端部
１２  背板
１２ａ  下端部
１３  側板
１４  背シール部
１５  蓋板
１７  三角状折込片
２０  上方シール部
２０ａ  ゲーベルトップ型上方部
２１  内側シール部
２２  外側シール部
２３  細幅部
２６  下方シール部
２６ａ  平板状下方部
【図１】
0005446512.tif 000002
【図２】
0005446512.tif 000003
【図３】
0005446512.tif 000004
【図４】
0005446512.tif 000005
【図５】
0005446512.tif 000006
【図６】
0005446512.tif 000007
【図７】
0005446512.tif 000008